(57)【要約】本発明は、限定された期間のみ読取り装置で読取り可能な光ディスク（１０１）である限定プレー光ディスク（ＬＰＯＤ‘ｓ）に関する。パッケージ（１００）から取り出した後、限定プレー光ディスクは比較的短期間の後に使用不能になる。特別なパッケージ内に限定プレー光ディスク保存することで、限定プレー光ディスクは有限の使用期間と共に提供できる。
2005525671.tif 000002
【特許請求の範囲】
【請求項１】
パッケージ製品であって、
情報を保存しており、読取り許可状態から読取り防止状態へと切替することによって第１反応物と反応する反応性物質の領域を含む光ディスクを含んでおり、該読取り防止状態は該光ディスクに記録されている少なくとも一部の情報へのアクセスを防止するものであり、
前記光ディスクを保持する密封内部空間を提供する密封パッケージをさらに含んでおり、該パッケージは該密封内部空間内の前記第１反応物を除くための除去剤を含んでおり、
前記密封パッケージの少なくとも一部は前記第１反応物に対して透過性を有することを特徴とするパッケージ製品。
【請求項２】
密封パッケージは密封パッケージの第１壁部を形成する第１フィルムを含んでいることを特徴とする請求項１記載のパッケージ製品。
【請求項３】
第１フィルムは除去剤を含んでいることを特徴とする請求項２記載のパッケージ製品。
【請求項４】
第１フィルムは多層フィルムであって、該多層フィルムの一層は除去物質を含んでいることを特徴とする請求項３記載のパッケージ製品。
【請求項５】
多層フィルムは外層を含んでおり、除去層は該外層と密封内部空間の間に位置することを特徴とする請求項４記載のパッケージ製品。
【請求項６】
多層フィルムは除去層と密封内部空間の間に位置する内層を含んでいることを特徴とする請求項４記載のパッケージ製品。
【請求項７】
第１フィルムは有機ポリマーを含んでいることを特徴とする請求項２記載のパッケージ製品。
【請求項８】
密封パッケージは密封パッケージの第２壁部を構成する第２フィルムを含んでいることを特徴とする請求項２記載のパッケージ製品。
【請求項９】
第２フィルムはエッジシール処理によって第１フィルムと接着されていることを特徴とする請求項８記載のパッケージ製品。
【請求項１０】
第２フィルムは多層フィルムであることを特徴とする請求項９記載のパッケージ製品。
【請求項１１】
第２フィルムは５ｃｃ／ｍ2／２４ｈｒ以下の第１反応物透過率を有していることを特徴とする請求項８記載のパッケージ製品。
【請求項１２】
第２フィルムは有機ポリマーを含んでいることを特徴とする請求項８記載のパッケージ製品。
【請求項１３】
除去物質は有限の第１反応物除去性能を有しており、該除去性能が枯渇すると該除去物質は密封内部空間内の該第１反応物の除去を停止することを特徴とする請求項１記載のパッケージ製品。
【請求項１４】
除去物質は密封内部空間内に位置することを特徴とする請求項１記載のパッケージ製品。
【請求項１５】
第１反応物は酸素であることを特徴とする請求項１記載のパッケージ製品。
【請求項１６】
パッケージ製品であって、
読取り防止物質を含む限定プレー光ディスクと、
設定期間中は該読取り防止物質が読取り防止状態へと変化するのを防止する前記限定プレー光ディスクを収容する収容体と、
を含んでいることを特徴とするパッケージ製品。
【請求項１７】
読取り防止物質は第１反応物と反応することによって読取り許可状態から読取り防止状態への切替を行い、該読取り防止状態はディスクに記録された情報の少なくとも一部へのアクセスを防止することを特徴とする請求項１６記載のパッケージ製品。
【請求項１８】
収容体は密封内部空間を提供し、限定プレー光ディスクは該密封内部空間内に位置することを特徴とする請求項１７記載のパッケージ製品。
【請求項１９】
収容体は設定期間中に密封内部空間内に存在する第１反応物を除去する除去物質を含んでいることを特徴とする請求項１８記載のパッケージ製品。
【請求項２０】
所定期間の経過後に除去物質は第１反応物の除去を停止することを特徴とする請求項１９記載のパッケージ製品。
【請求項２１】
収容体は第１壁部を含み、該第１壁部は除去物質を含んでいることを特徴とする請求項１９記載のパッケージ製品。
【請求項２２】
第１壁部は多層フィルムを含み、多層フィルムの層の少なくとも一層は除去物質を含んでいることを特徴とする請求項２０記載のパッケージ製品。
【請求項２３】
設定期間は１年以下であることを特徴とする請求項１６記載のパッケージ製品。
【請求項２４】
設定期間は略１年であることを特徴とする請求項１６記載のパッケージ製品。
【請求項２５】
設定期間は１年以上であることを特徴とする請求項１６記載のパッケージ製品。
【発明の詳細な説明】
【技術分野】
【０００１】
本発明は光ディスクに関し、特に限定プレー光ディスクに関する。
【背景技術】
【０００２】
デジタル用光ディスクの発明で、様々な形態のデジタル情報の記録、保存及びプレーバック製品が出現した。これらにはコンピュータ市場、オーディオ市場及びビデオ市場において販売される製品が含まれている。コンパクトオーディオディスクの急速な普及はまずユーザメディアとして光ディスクフォーマットを確立させた。コンパクトディスクに続いてＣＤ-ＲＯＭやＣＤ-Ｒがコンピュータ市場に出現し、ビデオ市場にはビデオ-ＣＤやＤＶＤが投入された。ビデオ市場におけるＤＶＤの近年の成功並びにユーザによるＤＶＤプレーヤの利用はＤＶＤレンタルビジネスをも繁盛させている。典型的には、レンタルを利用するために利用者はレンタル会社を訪れてＤＶＤをレンタルし、一定期間の利用後に返却しなければならない。一般的に、レンタルストアは一定期間内に返却されない場合には利用者に延滞料を請求する。レンタルストアへの度重なる訪問は不便であるものの、利用者は一定期間、家庭で映画を経済的に楽しむことができる。
【発明の開示】
【発明が解決しようとする課題】
【０００３】
一定期間、家庭で映画を楽しむことを可能にする別の方法は、限定プレー光ディスク（ＬＰＯＤ）の活用である。ＬＰＯＤは限定された期間中には読取り装置で読み取れる光ディスクである。パッケージから取り出された後に、ＬＰＯＤは比較的短期間後、例えば数時間後、数日後、数週間後、または数ヶ月後に使用不能になる、本発明者はＬＰＯＤ自体またはそのパッケージを改良して限定有効期間式にできることを発見した。この限定有効期間の提供は所定期間が経過するまでパッケージ内の環境を制御する特殊フィルムによってディスクをパッケージ（包装）することで達成される。有効期間が経過すると光ディスク内の材料の読取り防止作用が作動し、ディスクを読取り不能にする。よって、製品の有効期間が超過すると、パッケージが開封されたか否かに拘わらずディスクは使用不能になる。
【課題を解決するための手段】
【０００４】
本発明の第１の特徴では、情報を保存する光ディスクを含んだパッケージ形態の製品が提供される。この製品は、読取り許可状態から読取り防止状態に切替えらることで第１反応物（例えば、酸素）と反応する反応性物質領域を含んでいる。その読取り防止状態とはディスクに保存された情報の少なくとも一部へのアクセスを防止する状態である。製品は密封パッケージも含んでいる。このパッケージは光ディスクを収容する密封内部を提供し、パッケージは除去（食）物質を含んでおり、密封内部の第１反応物を除去（食処理）させる。少なくとも密封パッケージの一部は第１反応物に対して浸透性である。
【０００５】
このパッケージ製品の利用には以下の特徴が含まれる。密封パッケージは密封パッケージの第１壁部を形成する第１フィルムを含むことができる。この第１フィルムは除去物質を含むことができる。第１フィルムは多層フィルムでよく、その多層フィルムの１層が除去物質を含むことができる。多層フィルムは外層を含むことができ、除去物質層はその外層と密封内部との間に配置できる。多層フィルムは除去物質層と密封内部との間に配置された内層を含むことができる。第１フィルムは有機ポリマーを含むことができる。
【０００６】
密封パッケージは密封パッケージの第２壁部を形成する第２フィルム（例えば多層フィルム）を含むことができる。第２フィルムはエッジシール処理によって第１フィルムに接着できる。第２フィルムは５ｃｃ/ｍ2/２４ｈｒ以内の第１反応物透過率（例えば１ｃｃ/ｍ2/２４ｈｒ）を有することができる。第２フィルムは有機ポリマーを含むことができる。
【０００７】
除去物質は第１反応物を除去する有限能力を有することができ、その能力が枯渇すると除去物質は密封内部の第１反応物の除去活動を停止する。
【０００８】
除去物質は密封内部に配置できる。
【０００９】
本発明の別な特徴によればパッケージ製品は読取り防止物質を含んだ限定プレー光ディスクと、その読取り防止物質が一定期間中は読取り防止状態となることを防止するようにその限定プレー光ディスクを収納する容器とを含む。
【００１０】
そのパッケージ製品の利用には次の特徴が含まれる。
【００１１】
読取り防止物質は第１反応物と反応して読取り許可状態から読取り防止状態に切替える。読取り防止状態はディスクに保存された情報の少なくとも一部へのアクセスを防止する状態である。容器は密封内部を提供し、限定プレー光ディスクはその密封内部に配置できる。容器は所定期間中に密封内部の第１反応物を除去する。除去物質はその所定期間後に第１反応物の除去活動を停止することができる。
【００１２】
容器は第１壁部を含むことができ、第１壁部は除去物質を含むことができる。第１壁部は多層フィルムを含むことができ、その少なくとも１層は除去物質を含むことができる。
【００１３】
この所定期間とは１年以内、約１年または１年以上とすることができる。
【発明を実施するための最良の形態】
【００１４】
本発明の別実施例を以下で図面を利用して説明する。本発明の他の特徴、目的及び利点が明らかとなろう。
【００１５】
図１Ａと図１Ｂに示すように、パッケージ製品１００は環境制御パッケージ（ＣＥＰ）１０５内部に密封された限定プレー光ディスク（ＬＰＯＤ）１０１を含んでいる。ＣＥＰ１０５はＬＰＯＤ１０１の環境を制御し、パッケージ製品１００が開封されるかあるいは有効期間を超過するまで、ＬＰＯＤ１０１内の読取り防止物質がディスクを読取り不能にするのを防止する。
【００１６】
ＣＥＰ１０５は内部空間１２５を提供する二枚の多層フィルム１１０と１２０とを含んでおり、この中にＬＰＯＤ１０１が配置される。フィルム１１０と１２０の内面間の密封エッジシール部１９０は内部空間１２５をシールする。内部空間１２５は僅かにＬＰＯＤ１０１より大きく、パッケージ内のディスクに「ヘッドスペース」を提供する。内部空間１２５内のガス成分を制御及び操作して、パッケージ製品１００の有効期間に対応した所定期間が経過するまでの間、ＣＥＰ１０５はＬＰＯＤ１０１の読取り防止メカニズムの作動を抑制する。有効期間が経過すると、ＣＥＰ１０５はディスク環境を変化させてＬＰＯＤ内の読取り防止物質を作動させる。
【００１７】
最上部の多層フィルム１１０は、酸素と化学反応して内部空間１２５から残留酸素を除去し、副産物として水を生成する。これでＬＰＯＤ１０１に無酸素環境が提供される。多層フィルム１１０は酸素除去物質を含んでいるが、これは物理的な酸素バリヤフィルムではない。むしろ、多層フィルム１１０は実際には酸素浸透性を有するが、フィルム内に拡散する酸素を吸収する。酸素除去物質が飽和状態になると、フィルムは酸素の吸収を停止し、酸素を拡散通過させる。多層フィルムの酸素除去機能とパッケージ製品の有効期間との関係は以下で詳細に述べる。
【００１８】
前述の実施例において、フィルム１１０は３．６ミル厚で、１枚の外層１３０と３枚の内層１３５，１４０及び１４５を含む共成型多層フィルムである。外層１３０はサランコートポリエステル層であり、保護層として作用し、製品の摩滅と取扱い時の破損を防ぐ一方防水材としても作用する。層１３５はポリプロピレン層であり、比較的安価に多層フィルム１１０にある程度のかさを提供する。層１４０は酸素除去物質を含む除去層である。層１４５は低密度ポリエチレンシーラント層であり、他の層と比べて比較的低い融点を有する。低い融点である理由は熱シーラーが接着層１４５を多層フィルム１２０に簡単に接着できるようにするためである。商業的に利用可能な「酸素除去」フィルムでフィルム１１０として使用できるものの例はＯＳ１０００であり、クリオバック社（サウスカロライナ州のダンカン市）が提供する。
【００１９】
底部の多層フィルム１２０は、共に成型された多層フィルムで外層１５０，内層１５５及び１６０を含む。多層フィルム１２０は多層フィルム１１０に比べて酸素透過率が比較的低く、酸素除去物質が飽和状態になる前にかなりの量の常圧酸素が内部空間１２５に拡散するのを防ぐ。低い酸素透過率は層１５５によるものであり、これはエチレンビニルアルコール（ＥＶＯＨ）酸素バリヤ層である。これらのバリヤ特性は湿気にさらされると直ちに劣化するので、外層１５０はポリプロピレンなどの十分な防水特性を有する素材で作られている。外層１５０は内層１５５と１６０も摩滅から守る。層１６０は低密度ポリエチレンシーラント層である。熱シールはこのシーラント層をフィルム１１０のシーラント層１４５に接着させる。このようなフィルムの例としてはＴ６０７０Ｂがあり、クリオバック社から入手できる。
【００２０】
ＣＥＰ１０５がどのようにＬＰＯＤ１０１の環境を制御して製品に有限の有効期間を与えるかについて述べる前に、ＬＰＯＤ１０１の読取り防止機能について説明する。次の説明において、ロイコメチレンブルー（ＬＭＢ）を読取り防止機能の提供のために用いているが、別の物質も同様の機能を提供する。別の読取り防止物質としてはブリリアントクレシルブルー、ベーシックブルー３及びトルイジン０がある。
【００２１】
図２に示すように、ＬＰＯＤは一対の透明プラスティック層２１０と２２０を含む。それらは接着性物質である中間層２３０で接着されている。読取り防止物質ＬＭＢは中間層２３０内に接着物質と共に含まれている。層２２０の内面には層表面の小さなくぼみである幾つかのピット（孔）が提供されている。ピットの間の部分は「ランド」と呼ばれる。この面は反射コーティングされており、反射層２４０として示されている。典型的には、このコート層はアルミニウム層などのスパッター金属層である。反射層２４０はピットとランドに形状一致し、ディスクに保存されているデジタル情報のためのベースを提供する。
【００２２】
ディスク機能期間中は、中間層２３０を形成する接着性物質（アクリル樹脂等）は光学的に透明である。よって、層２４０と中間層２３０はディスクのその面に入射するように読取りレーザビーム２５０を反射層２４０に送る、反射層は信号レーザビーム２６０を読取り装置のセンサ（図示せず）に向けて反射する。反射レーザビーム２６０の強度は光波干渉作用のためピットとランドで異なる。読取り装置はこれらの反射性の違いを検知し、ディスクに保存されたデジタル情報にアクセスし、又は情報を読み取る。
【００２３】
酸素に触れると、ＬＭＢは酸化してメチレンブルー（ＭＢ）を生成する。ＭＢは深青色で６３０ｎｍから６７０ｎｍの波長光を吸収する。この波長範囲は殆どの最新のＤＶＤ装置の読取りレーザの作動波長をカバーする。十分な量の酸素が層２１０を通って拡散してＬＭＢを酸化すると、中間層２３０は透明状態から不透明状態に変化し、レーザによる保存データの読取りを防止する。空気酸素レベル環境では、使用物質の酸素透過性に基づく所定期間の経過後はディスクは読取り不可能となる。ＬＰＯＤの使用期間は自由に設計でき、例えば２４から７２時間の範囲とすることができる。
【００２４】
この実施例においては、ＬＭＢは当初はブロック状態（例えばトリイソプロピルシリルオキシカルボニルロイコメチレンブルー（ＴＬＭＢ）で提供される。言い換えれば、ディスクを製造する際に接着物質に含まれる化合物は直ちに酸化してメチレンブルーを形成することはない。ＴＬＭＢは酸化ＬＭＢを生成するためにブロック解除される必要がある。ＴＬＭＢは水分と化学反応することでブロック解除される。この水分は空気内の湿気によって提供される。事実、ＴＬＭＢは酸素の存在下で数ヶ月間安定状態である。このように、ＴＬＭＢを含み中間層２３０を形成するアクリル系コーティング樹脂はブロック解除反応が生じるまで酸素の存在下で取り扱うことができる。ブロック解除反応はゆっくり発生するため、ディスク製造中の通常空気中（非乾燥）でＬＭＢを意図に反して酸化させずにコーティング液体の取り扱いができる。
【００２５】
本実施例の場合、ディスクに限定された有効期間を提供するため、ディスクのパッケージは先ずディスク内で読取り防止物質のブロック解除を行う環境を提供し、次に読取り防止物質を読取り防止状態に変えるための環境に変化させる。ＣＥＰ１０５（図１Ｂ参照）がどのようにこれらの機能を発揮するかについて説明する。
【００２６】
少量の空気がパッケージングの際にＬＰＯＤ１０１の内部空間１２５内に密封される。しかしながら、この時、読取り防止物質はパッケージ内の酸素が読取り防止物質と反応しないようにブロック状態である。パッケージされると、酸素除去物質１４０は酸素を内部空間１２５から取り除く。これによってディスクに溶解された酸素が内部空間にガスを放出する。層１４０もまたこの酸素を取り除く。このように、パッケージ後しばらく（数秒から数日）ディスクとその環境は実質的に無酸素状態である。すなわち、パッケージ内の酸素量はブロック解除された読取り防止物質を読取り防止状態に変換するには不十分である。
【００２７】
パッケージ後しばらくは、水分が読取り防止物質をブロック解除し、酸素に反応させる。この期間は酸素除去物質がディスク環境を十分に無酸素状態にするための期間より長い。ＴＬＭＢをブロック解除する水分はパッケージの際の内部空間１２５内に密封されている空気中の水蒸気からと、ＬＰＯＤ１０１の中間層に使用されるアクリル系物質に溶解されている水分からや、層内に吸収された残留水から発生する。さらに、酸素除去層１４０は内部空間１２５に水分を提供する。この水分は酸化可能ＬＭＢを生成する加水分解反応でＴＬＭＢをブロック解除する。読取り防止物質を酸化させる酸素がディスク環境内に存在しないため、消費者がパッケージを開封するまで、あるいは除去物質が枯渇してパッケージ内に進入する酸素を取り除くことができなくなる時まで、ディスクは読取り許可状態に残る。
【００２８】
消費者がディスクパッケージを開封すると、ディスク環境の酸素レベルが即座に大気中のレベルに変化する。この空気中の酸素はディスク物質を通ってディスクの中間層へと拡散し、酸素反応を開始して読取り防止物質の状態を変化させる。従って、所定期間空気にさらされた後、ディスクは読取り装置で読取り不可能になる。
【００２９】
所定期間の経過後、パッケージの有効期間は超過する。これは、多層フィルム１１０と１２０は酸素透過性を有するためである。酸素は大気から多層フィルム１１０内へ拡散し続ける。さらに、酸素は多層フィルム１２０を通って内部空間１２５へと拡散する。酸素除去物質の能力が枯渇するまで酸素は取り除かれ続ける。いったん枯渇すると、酸素は多層フィルム１１０と１２０の両方を通って拡散し、内部空間１２５内の酸素レベルを上昇させる。内部空間内の酸素レベルが上がるに連れて、酸素はＬＰＯＤ物質を通ってＬＭＢを含む中間層に拡散する。ディスクが未開封の間はこのようにＬＭＢの酸化が生じる。本実施例の場合は、ＯＳ１０００とＴ６０７０Ｂが使用され、フィルムの酸素透過率はそれぞれ６．５ｃｃ／ｍ2／２４ｈｒｓと２ｃｃ／ｍ2／２４ｈｒｓである（２３℃，０％ＲＨ）。ＯＳ１０００は８００ｃｃ／ｍ2の酸素除去性能を有する。
【００３０】
本実施例は、およそ１年の設定有効期間を有するが、一般的に有効期間は１年より長くも短くもできる。例えば、パッケージの有効期間を６ヶ月またはそれ以下にすることもできる。あるいは、２年またはそれ以上とすることもできる。パッケージ自体の構造、保存条件、読取り防止物質とディスク構造の性質などの要素は有効期間に影響する。
【００３１】
製造者は望ましい有効期間を提供するために、幾つかのパッケージ自体のパラメータを選択することができる。これらのパラメータは防水及び／又は防酸素層の性能を含む。例えば、層１５０が実施例のものより弱い防水性能を有する素材で形成されている場合、大気湿度は防酸素層１５５をより早く劣化させる。従って、防酸素層１５５は実施例のものより早く劣化し、パッケージの有効期間は１年よりも短くなるであろう。
【００３２】
製造者は、また、酸素除去物質の性能を選択して実施例よりも短いあるいは長い有効期間を提供することもできる。一般的に、酸素除去性能が増大するに連れてパッケージの有効期間も長くなるであろう。
【００３３】
ＣＥＰ内のフィルムの酸素透過率もまたパッケージの有効期間に影響する。一方あるいは両方のフィルムの酸素透過率が高ければ、除去層の酸素除去性能をより早く枯渇させ、有効期間を短縮させるであろう。逆に、酸素透過率が低いフィルムを選べばパッケージの有効期間を長くすることができるであろう。
【００３４】
環境要素もまた有効期間に影響する。例えば、暖かく湿った保存環境では、冷たく乾燥した環境で保存する時よりも有効期間は短くなるであろう。より一般的には、酸素及び／又は水分のパッケージ内への拡散率、及び／又は除去層の飽和及び／又は防酸素性能劣化にかかる時間に影響するあらゆる外的環境パラメータは有効期間に影響するパラメータである。
【００３５】
本実施例において、ＬＰＯＤは内部空間１２５内に少量のヘッドスペースを有しており、内部空間内を移動することができる。オプションとして、ＣＥＰ内に突起部を提供して、パッケージ内でのディスクの望まれない移動を防ぐことができる。ＬＰＯＤがこの突起部上に置かれるとＣＥＰ内に固定される。あるいは、ＬＰＯＤはＣＥＰ内に真空状態でパッケージされることもできる。この場合ディスクの形状に一致し、ヘッドスペースは生じない。真空パッキングはまた、少しばかりよりコンパクトで頑丈な状態の製品を提供する。
【００３６】
使用者がパッケージをより簡単に開封することができるように、多層フィルム１１０と１２０の一方あるいは両方の内面に開封材を提供することができる。開封材は多層フィルム上にラミネート加工またはコーティング加工することができる。例えば、開封材コーティング（例：シリコン開封材コーティング）はＣＥＰを密封する前に層１６０に適用できる。一般的に、どの開封材でも開封材がパッケージ製品の有効期間に悪影響を与えないことを条件に使用することができる（例：シール９０の構造を損なうことによって開封材が予想より高い率で酸素を内部空間１２５内に放出する可能性があり、よって製品の有効期間を縮めることがある）。シール面を選択して引っぱり力を補助する力点部がシール強度に勝るようにすることもできる。特に、パッケージはシールされていない角や折り目を有することができ、効果的にパッケージ上のシール幅やシール面積を減らすこともできる。これによって消費者は両フィルムの一部をつまんでパッケージを開封することができる。
【００３７】
本実施例ではフィルム１１０と１２０の異なる層の特定のポリマーについて述べているが、他の材料を用いることもできる。他の有機ポリマーとしては、酢酸セルロース、ニトリル、ポリカーボネート、ポリエステル、ポリスチレン、ポリ塩化ビニル及びシクロオレフィン共重合体等がある。適切に選択された性質を有する無機材料を利用することもできる。例えば、アルミニウムは優れた酸素・水分蒸発防止性能を提供し（１ミル厚アルミニウムフィルムは湿気と酸素を通さない）、パッケージ１００の多層フィルム１２０の代用となる。一般的に製造者はそれぞれのフィルムの組成及び厚みを有効期間や物理的性質（例：強度、耐歪性、耐久性）及び費用面等の追加パラメータを最適化するように選択することができる。
【００３８】
本実施例ではＣＥＰは２枚のフィルムで構成されており、ＬＰＯＤのエッジでシールされているが、別形態のパッケージも可能である。図３に示すように、例えば別々のフィルムを用いる代わりに、ＣＥＰ３００は単体フィルム３１０から構成されることもできる。単体フィルム３１０はＬＰＯＤ３０１を覆うようにエッジ３０２で折り曲げられる。ＣＥＰ３００は３側面でシール３９０されてＬＰＯＤ３０１に包装空間３２５を提供する。
【００３９】
さらに一般的には、ＣＥＰは前述実施例のような包装型パッケージに限られることはない。ＣＥＰにはＬＰＯＤに有効期間を提供できるあらゆるタイプのパッケージであることができる。具体的には、オーディオコンパクトディスクのパッケージに普通に用いられる宝石ケースが挙げられる。接着性テープをケースのエッジに使用することもできる。さらに、前述実施例では、酸素除去物質は多層フィルム内の層体であるが、別形態で別の位置に提供されることもできる。例えば、酸素除去物質はディスクと共にパッケージ内に位置される袋体とすることができる。一般的に、酸素除去物質はディスク及び／又はパッケージへの酸素拡散量を十分にコントロールできるあらゆる形態とすることができる。
【００４０】
種々の実施例を述べてきたが、本発明を逸脱しない範囲での種々の改良は可能である。例えば、ディスクがパッケージの有効期間内に読取り許可状態であれば、ディスクは未ブロック状態の読取り防止物質と共にパッケージされることができる。このようにするため、ディスクは例えば窒素雰囲気等の不活性雰囲気内でパッケージされることができる。さらに、読取り防止物質は酸素以外の反応物及び／又は刺激体に反応するものとすることもできる。例えば、読取り防止物質を湿気やレーザ放射線に反応させることもできる。従って、他の実施例も本発明の請求の範囲に含まれる。
【図面の簡単な説明】
【００４１】
【図１Ａ】図１Ａは環境制御パッケージ（ＣＥＰ）内の限定プレー光ディスク（ＬＰＯＤ）を示す。
【図１Ｂ】図１ＢはＬＰＯＤが収められた図１Ａの環境制御パッケージＣＥＰの断面図を示す。
【図２】図２はＬＰＯＤの構造を示す断面図である。
【図３】図３はＬＰＯＤとＣＥＰの組み合わせの別の実施例の斜視図である。
2005525671.tif 000003
【図３】
2005525671.tif 000004
2005525671.tif 000005
【図２】
2005525671.tif 000006
【国際調査報告】
2005525671.tif 000007